(57)【要約】【課題】シート分割巻取装置において巻取りを再開するとき、各帯状シートの先端部を夫々新しい巻芯に、その巻芯外周面に長手方向に付与した粘着剤により短時間で確実に接着することを課題としている。【解決手段】巻芯チャック９に装着た新しい巻芯Ｃが帯状シートＳの先端部を挟んでタッチローラ１１に接触した後、帯状シート接着用のトルクτ１を一定時間継続して出力し、案内ローラ群による広幅の帯状シートの搬送を開始する直前に巻取トルクτの出力を開始するように巻取モータ１７を制御する制御装置２６を備える。【選択図】  図３
2004345824.tif 000002
【特許請求の範囲】
【請求項１】
広幅の帯状シートを案内ローラ群によりスリッターへ搬送して通過させ、スリッターにより所要幅に分割された複数の帯状シートを前後又は上下に並ぶ巻取装置へ交互に振り分けて帯状シート毎の巻芯のまわりに巻取ることにより巻取ロールを形成し、前記巻取装置を、巻芯毎に一対になる巻取アームと、前記巻取アームの一対毎に設けた、前記巻芯の両端を着脱可能に保持する巻芯チャックと、この巻芯チャックを通じて巻芯に、その巻芯を回転させて帯状シートを巻取るための巻取トルクを与える巻芯駆動機構と、帯状シートの巻取中に巻取ロール外周面に接触するタッチローラと、前記タッチローラと前記巻芯とを接触離反させる機構を含むものとし、前記巻取ロールが巻上がると前記案内ローラ群による帯状シートの搬送を停止すると共に前記巻芯駆動機構による巻取トルクの出力を停止して、前記タッチローラと巻取ロールとの間隔を開けると共に、シート仮保持機構により帯状シートをタッチローラ上に保持し、前記巻取ロールに繋がっている帯状シートを切断機構により巻取ロールとタッチローラの接点付近かつ該接点から下流側で切断して巻取ロールを巻芯チャックから取外した後、前記巻芯チャックに新しい巻芯を装着して該新しい巻芯とタッチローラとを前記帯状シートの先端部を挟んで接触させ、新しい巻芯の外周面に長手方向に貼付した両面粘着テープに前記帯状シートの先端部を接着し、かつ前記シート仮保持機構による前記帯状シートの保持を解いた後に、新しい巻芯上への帯状シートの巻取りを再開するシート分割巻取装置において、前記巻芯チャックに装着した新しい巻芯が帯状シート先端部を挟んでタッチローラに接触した後、帯状シート接着用のトルクを一定時間継続して出力し、その後、前記案内ローラ群による広幅の帯状シートの搬送を開始すると同時に又はその直前若しくは直後に前記巻取トルクの出力を開始するように前記巻芯駆動機構を制御する制御装置を備えることを特徴とするシート分割巻取装置。
【請求項２】
前記巻芯チャックに装着する新しい巻芯の外周面には長手方向に予め粘着剤が付与してあることを特徴とするシート分割巻取装置。
【請求項３】
前記制御装置に替えて、前記新しい巻芯がタッチローラに帯状シート先端部を挟んで接触した後、一定時間継続して前記帯状シート接着用のトルクを出力し、その後、前記案内ローラ群による広幅の帯状シートの搬送を開始すると同時又はその直前若しくは直後から一定時間が経過するまで、前記巻取トルクより小さい、帯状シート巻付用のトルクを出力した後、前記巻取トルクを出力するように、前記巻芯駆動機構を制御する制御装置を備えた請求項１又は請求項２に記載のシート分割巻取装置。
【請求項４】
前記シート保持機構を、巻取開始時に巻芯とタッチローラにより形成される谷の上空より該谷に接近離反可能に配設すると共に前記広幅の帯状シート全幅にわたって伸長した保持バー、及び前記保持バーに装着したシート押え板を備え、かつ前記保持バーを前記谷に接近させることによって、前記保持バーから前記谷の底へ向けて突き出た前記シート押え板の前縁部により帯状シートをタッチローラと巻芯との接点より上流寄りのタッチローラ外周面に押し付けて保持するものとした請求項１若しくは請求項２又は請求項３に記載のシート分割巻取装置。
【発明の詳細な説明】
【０００１】
【発明の属する技術分野】
本発明は、新しい巻芯の外周面に長手方向に付与した粘着剤に帯状シートの先端部を接着させて帯状シートの巻取りを再開するシート分割巻取装置に関する。
【０００２】
【従来の技術】
従来、帯状シートの巻取中に、巻芯のまわりに巻取った帯状シートにより形成される巻取ロールに、タッチローラを接触させながら巻取ロールを巻き上げるシート分割巻取装置があり、この種のシート分割巻取装置には、巻取開始前に巻取装置に装着した巻芯のタッチローラに対向する部分に糊付器により接着剤を塗布し、その巻芯を、帯状シート先端部を保持しているタッチローラに押し付けて、帯状シート先端部を巻芯に接着する形式のものがある（特願２００３−０７１０４５号明細書及び図面参照）。
【０００３】
この形式では、早く乾燥する接着剤を用いると、糊付器内で接着剤が固まり易く、糊付器の保守が非常に面倒になるので、接着剤として粘着力が小さく乾きにくい糊溶液又は粘り気のある液体若しくは水を用いる。
【０００４】
【発明が解決しようとする課題】
しかし、帯状シートが厚いものだと上述の接着剤では接着力が弱過ぎるため帯状シートの先端部を確実に巻芯に接着することができない。また製品仕様として両面粘着テープにて帯状シートの先端部を巻芯に接着するよう指定される場合があり、その場合には上述の接着剤は使用することができない。
【０００５】
ところで、帯状シートの厚みが厚い場合には、上述のような接着剤の代わりに両面粘着テープを用いると十分な接着力が得られる。しかし、巻取装置に装着した巻芯の所定位置に両面粘着テープを自動的に貼付するには、そのための装置を必要とし、この装置は非常に複雑で大きい占有空間を必要とするので、また高価になるので、実用的観点から採用することができない。また、帯状シートの先端部を巻芯に接着する場合、接着点から帯状シートの先端までの長さが長くなり過ぎると、巻取開始時に接着点から帯状シート先端までの部分が折れ曲がり皺になって不良品となる。そこで作業者が、巻取装置に装着した巻芯のタッチローラに対向する部分に正確に両面粘着テープを貼付しなければならず、その貼付作業に手間がかかる。しかも、巻取装置における作業床はタッチローラと反対側にあるため巻芯上の貼付部分が作業床上の作業者から見えず、作業性の悪い場所での貼付作業が必要なる。したがって、従来のシート分割巻取装置において、新しい巻芯に帯状シート先端部を、両面粘着テープを用いて接着するには、その準備作業に手間がかかり、シート分割巻取装置の稼働率を低下させるという問題を生じる。そして、この問題は、スリッターによる分割数が多い程顕著になる。
【０００６】
本発明は、上述の問題点に鑑み、シート分割巻取装置において巻取りを再開するとき、各帯状シートの先端部を夫々新しい巻芯に、その巻芯外周面に長手方向に貼付した両面粘着器テープによって短時間で確実に接着することを課題としている。
【０００７】
【課題を対決するための手段】
そこで、本発明は、広幅の帯状シートを案内ローラ群によりスリッターへ搬送して通過させ、スリッターにより所要幅に分割された複数の帯状シートを前後又は上下に並ぶ巻取装置へ交互に振り分けて帯状シート毎の巻芯のまわりに巻取ることにより巻取ロールを形成し、前記巻取装置を、巻芯毎に一対になる巻取アームと、前記巻取アームの一対毎に設けた、前記巻芯の両端を着脱可能に保持する巻芯チャックと、この巻芯チャックを通じて巻芯に、その巻芯を回転させて帯状シートを巻取るための巻取トルクを与える巻芯駆動機構と、帯状シートの巻取中に巻取ロール外周面に接触するタッチローラと、前記タッチローラと前記巻芯とを接触離反させる機構を含むものとし、前記巻取ロールが巻上がると前記案内ローラ群による帯状シートの搬送を停止すると共に前記巻芯駆動機構による巻取トルクの出力を停止して、前記タッチローラと巻取ロールとの間隔を開けると共に、シート仮保持機構により帯状シートをタッチローラ上に保持し、前記巻取ロールに繋がっている帯状シートを切断機構により巻取ロールとタッチローラの接点付近かつ該接点から下流側で切断して巻取ロールを巻芯チャックから取外した後、前記巻芯チャックに新しい巻芯を装着して該新しい巻芯とタッチローラとを前記帯状シートの先端部を挟んで接触させ、新しい巻芯の外周面に長手方向に貼付した両面粘着テープに前記帯状シートの先端部を接着し、かつ前記シート仮保持機構による前記帯状シートの保持を解いた後に、新しい巻芯上への帯状シートの巻取りを再開するシート分割巻取装置において、前記巻芯チャックに装着した新しい巻芯が帯状シート先端部を挟んでタッチローラに接触した後、帯状シート接着用のトルクを一定時間継続して出力し、その後、前記案内ローラ群による広幅の帯状シートの搬送を開始すると同時に又はその直前若しくは直後に前記巻取トルクの出力を開始するように前記巻芯駆動機構を制御する制御装置を備えることを特徴とする。
【０００８】
巻芯駆動機構が帯状シート接着用のトルクを出力するとき、案内ローラ群は広幅の帯状シートを搬送しておらず、帯状シートはタッチローラへ供給されない。また巻芯チャックに装着した新しい巻芯は帯状シートを挟んでタッチローラに接触している。この状態で、巻芯駆動機構から帯状シート接着用のトルクが出力されると、それが巻芯チャックを通じて新しい巻芯に与えられ、その巻芯が帯状シートをタッチローラ上に保持しつつ、その帯状シート上を滑って回転し、その巻芯の外周面上の粘着剤付与部分がタッチローラとの接点に到達して、粘着剤が帯状シートの先端部分に接着する。帯状シートの先端部が巻芯に接着すると、その帯状シートが新しい巻芯の回転を妨げ、この新しい巻芯の回転を妨げるトルクが、帯状シート接着用のトルクより大きくなって、新しい巻芯の回転は停止する。そして巻取装置に装着した複数の新しい巻芯の相互間に両面粘着テープの貼付位置の相違があっても、一定時間継続して帯状シート接着用のトルクを出力することにより、全ての巻芯に貼付した両面粘着テープが巻芯とタッチローラとの接点に到達し、全ての巻芯に帯状シートの先端部が自動的に接着する。
【０００９】
【発明の実施の形態】
図１は本発明の一実施形態に係るシート分割巻取装置の概略側面図であり、このシート分割巻取装置は、案内ローラ１，２，３，４により広幅の帯状シートＳ０を図示しない原反ロールより巻き戻しながらスリッター５へ搬送して刃物Ｋを通過させ、スリッター５により所要幅に分割された複数の帯状シートＳを、案内ローラ６，７を経て、前後に並ぶ巻取装置Ｗ，Ｗへ交互に振り分けて帯状シートＳ毎の巻芯Ｃのまわりに巻取ることにより巻取ロールＲを形成する。案内ローラ１，２，３，４は図示しないラインモータにより所要速度で回転駆動されるようになっている。
【００１０】
前後に並ぶ巻取装置Ｗは、夫々巻芯Ｃ毎に一対になる巻取アーム８と、巻取アーム８の一対毎に設けた、一対になり巻芯Ｃの両端を着脱可能に保持する巻芯チャック９と、巻芯Ｃを矢印Ａで示す方向に回転させるために巻芯チャック９を通じて巻芯Ｃに巻取トルクを与える巻芯駆動機構１０と、帯状シートＳの巻取中に巻取ロールＲの外周面に接触するタッチローラ１１と、タッチローラ１１と巻芯Ｃとの間隔を調節する間隔調節機構１２を含んでいる。
【００１１】
タッチローラ１１は分割した帯状シートＳ毎に個別に配設し、揺動腕に装着して巻取ロールＲへの押圧力を調節できるようにしてあり、間隔調節機構１２は、巻取アーム８を支持する巻取基台１３を、タッチローラ１１に接近離反可能に案内支持するレール１４と、巻取基台１３に螺合したネジ棒１５と、ネジ棒１５を正逆両方向に選択的に回転駆動することができるネジ棒駆動機構１６とからなり、帯状シートＳの巻取中は巻取ロールＲの半径増大に応じて巻芯Ｃを巻取アーム８と共にタッチローラ１１から自動的に後退させることができる。
【００１２】
巻芯駆動機構１０は、一対の巻取アーム８の片方又は両方に装着した巻取モータ１７と、巻取モータ１７の出力軸の回転を巻芯チャック９に伝える図示しない伝動装置とからなり、巻取モータ１７として例えば永久磁石を用いた同期電動機を用いる。なお、巻芯駆動機構１０は、出力軸のトルクを制御できるものであれば他の電動機を用いてもよく、また各巻芯に共通のモータを備え、そのモータと巻芯チャック間の伝動装置中に例えばパウダークラッチのような公知のトルク調節手段を夫々備えたものであってもよい。
【００１３】
このシート分割巻取装置において帯状シートＳを所定量巻取って巻取ロールＲが巻上がると案内ローラ１，２，３，４による広幅の帯状シートＳ０の搬送を停止すると共に、巻取モータ１１による巻取トルクの出力を停止して、間隔調節機構１２によりタッチローラ１１と巻取ロールＲとの間隔を開けると共に、シート仮保持機構１８により帯状シートＳをタッチローラ１１上に保持し、巻取ロールＲにつながっている帯状シートＳを切断機構１９により巻取ロールＲとタッチローラの接点付近かつ該接点から下流側で切断し、巻取ロールＲを巻芯チャック９から取外して搬出用コンベヤ２０により搬出する。その後、巻芯供給機構２１により巻芯チャック９に新しい巻芯Ｃを装着し、再び間隔調節機構１２により、その新しい巻芯Ｃをタッチローラ１１に帯状シートＳの先端部を挟んで接触させ、新しい巻芯Ｃに貼付した両面粘着テープに帯状シートＳの先端部を接着し、かつシート仮保持機構１８による帯状シートＳの保持を解いた後、新しい巻芯Ｃ上への帯状シートＳの巻取りを再開する。
【００１４】
シート仮保持機構１８は、図２に示すように巻取開始時に巻芯Ｃとタッチローラ１１により形成される谷Ｖの上空より該谷Ｖに接近離反可能に配設すると共に広幅の帯状シートの全幅にわたって伸長した保持バー２２と、この保持バー２２に装着したシート押え板２３とを備え、保持バー２２を谷Ｖに接近させることによって、保持バー２２から谷Ｖの底Ｖ０へ向けて突き出たシート押え板２３の前縁部により帯状シートＳをタッチローラ１１と巻芯Ｃとの接点Ｐより僅かに上流寄りのタッチローラ１１の外周面に押し付けて保持することができるものである。
【００１５】
図１に示すように案内ローラ６を出た帯状シートＳは左側のタッチローラ１１の上側外周面に巻掛けられ、案内ローラ７を出た帯状シートＳは右側のタッチローラ１１の下側外周面に巻掛けられる。そのため、右側のシート仮保持機構１８は、左側のシート仮保持機構１８に対して上下逆向きに配置されている。なお、右側のシート仮保持機構１８では、保持バー２２が、巻取開始時の巻芯Ｃとタッチローラ１１とにより形成される上下二つの谷のうち下側の谷に向き合うように、下側の谷に対して下方に配置されているが、この場合も、保持バー２２は谷の上空に配置されていると解する。
【００１６】
図１において左側の切断機構１９は、シート仮保持機構１８の、退避位置とシート仮保持位置とに昇降可能な保持バー２２に沿って帯状シート幅方向に走行可能なナイフ２４を備え、このナイフ２４を走行させることにより、左側の各帯状シートＳを切断する。このとき、帯状シートＳは、図２に示すように巻芯Ｃとタッチローラ１１との接点Ｐの僅かに下流側で切断する。それによって、帯状シートが巻芯Ｃに接着したとき、その接着点から先端までの長さが短くなり、帯状シートの先端部が折れ曲がって皺になるのを防ぐことができる。また図１において右側の切断機構１９は、広幅の帯状シートの全幅にわたり平行に伸び、退避位置と切断位置とに昇降可能に設けた切断用支持バー２５と、この切断用支持バー２５に沿って帯状シート幅方向に走行可能なナイフ２４を備え、このナイフ２４を走行させることにより右側の各帯状シートＳを切断する。
【００１７】
この発明のシート分割巻取装置では、図２に示すようにタッチローラ１１上に保持された帯状シートＳの先端部を、新しい巻芯Ｃに両面粘着テープＴにより接着する。両面粘着テープＴは、新しい巻芯Ｃを巻芯チャック９に装着する前に、その新しい巻芯Ｃの外周面にその巻芯Ｃの長手方向に貼付しておくとよい。新しい巻芯Ｃは巻芯チャック９に両面粘着テープＴの貼付部分を任意方向に向けて装着する。
【００１８】
各帯状シートの先端部を夫々新しい巻芯Ｃに自動的に接着させて巻取りを再開するために、図３に示す制御装置２６により巻取モータ１７を、巻芯チャック９に装着した新しい巻芯Ｃが帯状シートＳの先端部を挟んでタッチローラ１１に接触した後、当該巻取モータ１７が帯状シート接着用のトルクτ１を一定時間継続して出力し、その後、図１に示す案内ローラ１，２，３，４による広幅の帯状シートＳ０の搬送を開始する直前に当該巻取モータ１７が巻取トルクτの出力を開始するように制御する。
【００１９】
制御装置２６には、供給される電力を巻取モータ１７の出力軸のトルクに変えるためのインバータ２７が備えてあり、このインバータ２７は、巻取モータ１７の出力軸のトルクが回転数に関係なくトルク指令値になるように制御するトルク制御モードを有する。また制御装置２６には、巻取トルクτをインバータ２７に指令する公知の巻取トルク制御部２８と、各巻取モータ１７に帯状シート接着用のトルクτ１を指令する接着用トルク設定部２９と、巻取トルク制御部２８からの出力信号と、接着用トルク設定部２９からの出力信号とを切り替えて巻取モータ１７のインバータ２７に入力する切替え回路３０と、インバータ２７の起動と停止を行うインバータ作動回路３１とが備えてある。
【００２０】
巻取トルク制御部２８は、検出器３２からの巻取ロール半径検値と、巻取張力設定部３３からの巻取張力設定値に基づき時々刻々所要巻取張力を演算すると共に、その所要巻取張力の演算値と巻取半径の検出値とを乗算して時々刻々の所要巻取トルクτを演算して出力する。
【００２１】
接着用トルク設定部２９には、帯状シートＳを挟んでタッチローラ１１に接触した巻芯Ｃが、タッチローラ上に保持された帯状シートとの摩擦等による回転抵抗に抗して回転することができ、かつ、巻芯Ｃに貼付した両面粘着テープＴが帯状シートＳに接着したとき巻芯の回転力で接着剤が帯状シートＳ又は巻芯Ｃから剥がれることがないように、適当する小さなトルクを設定しておく。
【００２２】
切替え回路３０は、巻取開始の信号を受けて巻取停止の信号を受けるまで、巻取トルク制御部２８からの出力信号τをインバータ２７に入力し、新しい巻芯Ｃが帯状シートＳを挟んでタッチローラ１１に接触したことを検出する信号を受けてから、図示しないタイマー回路に設定した遅延時間が経過するまで、接着用トルク設定部２９からの出力信号τ１をインバータ２７に入力する。接着用トルク設定部２９からの出力信号をインバータ２７に入力する時間は、通常、新しい巻芯Ｃが１回転するために必要な時間より少し長く設定しておく。なお、図１に示す案内ローラ１，２，３，４による広幅の帯状シートＳ０の搬送を開始する直前に巻取モータ１７が巻取トルクτを出力できるようにするために、巻取開始の信号が出てから所定時間経過後に、案内ローラ１，２，３，４を回転駆動する図示しないラインモータが起動するようにしてある。
【００２３】
インバータ作動回路３１は、巻取開始の信号を受けてから巻取停止の信号を受けるまでインバータ２７を作動させる。また新しい巻芯Ｃが帯状シートＳを挟んでタッチローラ１１に接触したことを検出する信号を受けてから、図示しないタイマー回路に設定した遅延時間が経過するまでインバータ２７を作動させる。
【００２４】
図３に示す状態で、広幅の帯状シートを搬送することなく各巻取モータ１７の出力軸から各巻芯Ｃへ帯状シート接着用のトルクτ１を一斉に出力すると、タッチローラ１１は回転せず巻芯Ｃのみが矢印Ａで示す回転方向に回転し、その巻芯Ｃの外周面に貼付された両面粘着テープＴが、図４に示すように巻芯Ｃとタッチローラ１１との接点Ｐ上に移動して帯状シートＳの先端部分に接着し、その結果、回転抵抗が増大して巻芯Ｃの回転が停止する。
【００２５】
本発明では、巻取開始直後から大きい巻取張力を必要とする場合等において帯状シートを確実に巻芯に巻付けることができるようにするために、図３に示す制御装置２６に替え、図５に示す制御装置３４を採用するとよい。この制御装置３４は、巻取トルク制御部２８と、接着用トルク設定部２９と、インバータ２７に、所要の巻取トルクτより小さい帯状シート巻付用のトルクτ２を指令する巻付用トルク設定部３５と、巻取トルク制御部２８からの出力信号τと、接着用トルク設定部２９からの出力信号τ１と、巻付用トルク設定部３１からの出力信号τ２とを切り替えて巻取モータ１７のインバータ２７に入力する切替え回路３６と、切替え回路３６と連動してインバータ２７の起動と停止を行うインバータ作動回路３７とを備え、切替え回路３６は、図１に示す案内ローラ１，２，３，４による広幅の帯状シートＳ０の搬送を開始してから、新しい巻芯Ｃが数回転するために必要な一定時間が経過するまで、帯状シート巻取中に必要な巻取トルクτより小さい帯状シート巻付用のトルクτ２を出力した後、所要の巻取トルクτを出力する。したがって、制御装置３４は、新しい巻芯Ｃがタッチローラ１１に帯状シート先端部を挟んで接触した後、巻芯駆動機構１０が一定時間継続して帯状シート接着用のトルクτ１を出力し、案内ローラによる広幅の帯状シートの搬送を開始してから一定時間が経過するまで、所要の巻取トルクより小さい帯状シート巻付用のトルクτ２を出力した後、巻取トルクτの出力を開始するように、その巻芯駆動機構１０を制御することができる。
【００２６】
本発明では、粘着テープの粘着層と同じゴム系等の粘着剤を直接巻芯の外周面に塗布している場合も、両面粘着テープを巻芯の外周面に貼付していると見做す。また必要に応じて、巻芯駆動機構の制御装置は、広幅の帯状シートを搬送する案内ローラ群を始動すると同時に或は僅かに遅れて巻取トルクを出力するように、また広幅の帯状シートを搬送する案内ローラ群が停止してから所定時間経過した後巻取トルクの出力を停止するよう巻芯駆動機構を制御することもあり得る。
【００２７】
【発明の効果】
本発明によれば、各巻芯に貼付した両面粘着テープの向きに関係なく各巻芯に夫々帯状シートの先端部を自動的に短時間で確実に接着することができる。そのため、短時間で巻取りを再開でき、シート分割巻取装置の稼働率の向上を図ることができる。そして印刷機等において巻取ロールから巻戻した帯状シートの終端部と新たな巻取ロールの帯状シート先端部とを自動接続するときに生じる、従来の乾燥しにくい接着剤に起因する帯状シートの接続不良や、搬送ローラへの接着剤付着の問題を解決できる。
【００２８】
また、巻芯チャックに装着する新しい巻芯の外周面には長手方向に予め粘着剤が付与してあることにより、巻取装置に装着した巻芯に両面粘着テープを貼付する場合に比べ巻取停止時間の短縮が可能になる。
【００２９】
巻芯駆動機構の制御装置を、新しい巻芯がタッチローラに帯状シート先端部を挟んで接触した後、一定時間継続して前記帯状シート接着用の低トルクを出力し、案内ローラ群による広幅の帯状シートの搬送を開始してから一定時間が経過するまで、巻取トルクより小さい、帯状シート巻付用のトルクを出力した後、巻取トルクを出力するように巻芯駆動機構を制御するものにすることにより、帯状シートの先端部を確実に巻付けることができる。
【００３０】
シート保持機構を、巻取開始時に巻芯とタッチローラにより形成される谷の上空より該谷に接近離反可能に配設すると共に前記広幅の帯状シート全幅にわたって伸長した保持バー、及び前記保持バーに装着したシート押え板を備え、かつ前記保持バーを前記谷に接近させることによって、前記保持バーから前記谷の底へ向けて突き出た前記シート押え板の前縁部により帯状シートをタッチローラと巻芯との接点より上流寄りのタッチローラ外周面に押し付けて保持するものとすることにより、帯状シートを薄いものから厚いものまで確実にタッチローラ上に保持することができ、かつ占有空間が小さく比較的簡素なシート仮保持機構を得ることができる。
【図面の簡単な説明】
【図１】本発明の一実施形態に係るシート分割巻取装置の側面図である。
【図２】シート仮保持機構の説明図である。
【図３】巻芯駆動機構の制御装置のブロック図である。
【図４】新しい巻芯に帯状シート先端が接着した状態を示す説明図である。
【図５】図３に示す巻芯駆動機構の制御装置の変更態様に係るブロック図である。
【符号の説明】
Ｓ０  広幅の帯状シート
Ｓ  帯状シート
Ｃ  巻芯
Ｔ  両面粘着テープ
９  巻芯チャック
１０  巻芯駆動機構
１１  タッチローラ
１７  巻取モータ
１８  シート仮保持機構
１９  切断機構
２６  制御装置
２８  巻取トルク制御部
２９  接着用トルク設定部
３０  切替え部
【図１】
2004345824.tif 000003
【図２】
2004345824.tif 000004
【図３】
2004345824.tif 000005
【図４】
2004345824.tif 000006
【図５】
2004345824.tif 000007